(57)【要約】【課題】  操作体の長さを経済的に変更することができる位置調節装置を提供する。【解決手段】  位置調節装置４は、雄ねじ部５ａを有する操作体５と、その操作体５が回動可能に取り付けられる支持体６とからなる。そして、操作体５の回動操作により、雄ねじ部５ａに螺合する台座２の位置が調節される。ここで、操作体５は、ボルト８と、カラー７と、ナット９と、ワッシャ１０ａとを備える。ボルト８は、前記雄ねじ部５ａが螺設された軸部８ａと、頭部８ｂとからなる。カラー７は、支持体６に明けられた通孔６ａを回動可能に貫通し、ボルト８の頭部８ｂと、ナット９によって挟み込まれる。また、カラー７には、ボルト８の頭部８ｂと支持体６との間に位置する鍔部７ａが設けられている。そして、カラー７とナット９との間には、ワッシャ１０ａが挿入される。【選択図】  図２
2005273756.tif 000002
【特許請求の範囲】
【請求項１】
被調節体の雌ねじ部に螺合可能な雄ねじ部を有する操作体と、
その操作体が、前記雄ねじ部の軸回り方向に回動可能に、かつその軸方向に移動規制されて取り付けられる支持体とを備えて、
前記操作体の回動操作により、前記被調節体の位置を調節する、位置調節装置であって、
前記操作体は、前記支持体に明けられた通孔を回動可能に貫通するカラーと、ボルトと、ナットとを備え、
前記ボルトは、前記雄ねじ部が螺設されて前記カラーに挿通される軸部と、その軸部よりも径大であって前記通孔を挟む一方側に位置する頭部とからなり、
前記ナットは、前記通孔を挟む他方側に位置して前記雄ねじ部にねじ込まれ、前記頭部とで前記カラーを挟み込み、また、
前記操作体は、前記頭部が前記通孔側に移動するのを規制する第１規制部を有し、かつ、前記ナットが前記通孔側に移動するのを規制する第２規制部を有することを特徴とする位置調節装置。
【請求項２】
前記カラーは、その軸方向において二体に分離された、前記頭部側の第１カラーと前記ナット側の第２カラーとから構成され、前記第１規制部は、前記第１カラーに設けられて、前記頭部と前記支持体との間に位置する第１の鍔部からなり、前記第２規制部は、前記第２カラーに設けられて、前記ナットと前記支持体との間に位置する第２の鍔部からなることを特徴とする請求項１に記載の位置調節装置。
【請求項３】
前記第１および第２カラーは、共通の部品からなることを特徴とする請求項２に記載の位置調節装置。
【請求項４】
前記第１規制部は、前記カラーに設けられて、前記頭部と前記支持体との間に位置する鍔部からなり、前記第２規制部は、前記軸部に嵌まり、前記ナットと前記カラーとに挟まれるとともに前記支持体と対向するワッシャからなる、
または、これら第１規制部と第２規制部との構成を反対にして、
前記第１規制部は、前記軸部に嵌まり、前記頭部と前記カラーとに挟まれるとともに前記支持体と対向するワッシャからなり、前記第２規制部は、前記カラーに設けられて、前記ナットと前記支持体との間に位置する鍔部からなることを特徴とする請求項１に記載の位置調節装置。
【請求項５】
前記第１規制部は、前記軸部に嵌まり、前記頭部と前記カラーとに挟まれるとともに前記支持体と対向する第１のワッシャからなり、前記第２規制部は、前記軸部に嵌まり、前記ナットと前記カラーとに挟まれるとともに前記支持体と対向する第２のワッシャからなることを特徴とする、請求項１に記載の位置調節装置。
【請求項６】
前記第１規制部は、前記通孔よりも径大に形成された前記頭部からなることを特徴とする請求項１に記載の位置調節装置。
【請求項７】
前記第２規制部は、前記通孔よりも径大に形成された前記ナットからなることを特徴とする、請求項１または６に記載の位置調節装置。
【請求項８】
前記通孔は、円孔からなり、その円孔の開口から前記カラーが挿入されることを特徴とする請求項１ないし７のいずれか１項に記載の位置調節装置。
【請求項９】
前記第１規制部は、前記カラーの一方側に設けられて、前記頭部と前記支持体との間に位置する第１の鍔部からなり、前記第２規制部は、前記カラーの他方側に設けられて、前記ナットと前記支持体との間に位置する第２の鍔部からなり、
前記通孔は、その軸方向に対して直角な方向から前記カラーが挿脱されるよう、その直角な方向に開口していることを特徴とする請求項１に記載の位置調節装置。
【発明の詳細な説明】
【技術分野】
【０００１】
この発明は、回動操作により、ワーク等の位置を調節する位置調節装置に関するものである。
【背景技術】
【０００２】
従来から、例えば、ワーク等を保持するジグ等の被調節体の位置を、回動操作により調節する位置調節装置があった（例えば、非特許文献１参照）。この位置調節装置は、図１０および図１１に示されるように、操作体となる異形のボルト部材２１と、そのボルト部材２１を支持する支持体としてのブロック２２とから構成されていた。ここで、ボルト部材２１は、軸部２１ａと頭部２１ｂの他に、軸部２１ａの中間位置に、その軸部２１ａから突出する鍔部２１ｃとから構成されていた。そして、これら、軸部２１ａと頭部２１ｂと鍔部２１ｃとは、例えば鋼棒等の棒材を切削加工等することで、一体に形成されていた。一方、ブロック２２には、前後に貫通し、かつ、上方に開口した、Ｕ字状の通孔２２ａが明けられていた。このブロック２２への前記ボルト部材２１の組み付けにあたっては、ボルト部材２１の軸部２１ａにおける、頭部２１ｂと鍔部２１ｃとの間の頸部分２１ｄが、ブロック２２の通孔２２ａに、その上方の開口から挿入された。そして、ボルト部材２１の軸部２１ａに設けられた雄ねじ部を被調節体２３の雌ねじ部２３ａに螺合させる。そこで、ボルト部材２１を回動操作すると、被調節体２３が移動し、その位置が調節された。
【０００３】
【非特許文献１】カタログ「ＦＡ用メカニカル標準部品２００３．５→２００４．４」株式会社ミスミ発行ｐ．４８５−４８６
【発明の開示】
【発明が解決しようとする課題】
【０００４】
ところで、前記従来の位置調節装置においては、操作体としてのボルト部材２１は、軸部２１ａの中間位置に鍔部２１ｃが一体に形成されており、複雑な形状をしていた。したがって、ボルト部材２１として、一般の規格化されたボルトを用いることはできず、専用部品として新たに製作しなければならなかった。さらに、ボルト部材２１の長さの異なるものを用いる必要が生じたときには、鍔部２１ｃを含めたボルト部材２１全体を交換しなければならならず、不経済であった。
【０００５】
また、支持体としてのブロック２２にあっては、鍔付きのボルト部材２１を挿入するために、Ｕ字状の通孔２２ａが必要された。しかし、Ｕ字状の通孔２２ａを明けることは、その加工（詳細には、切削加工）に手間取るため、好ましくなかった。
【０００６】
この発明は、上記した従来の欠点を解決するためになされたものであり、その目的とするところは、操作体の長さを経済的に変更することができる、位置調節装置を提供することにある。
【０００７】
また、他の目的は、支持体の製作が容易となる、位置調節装置を提供することにある。
【課題を解決するための手段】
【０００８】
この発明に係る位置調節装置は、前記目的を達成するために、次の構成からなる。すなわち、
請求項１に記載の発明に係る位置調節装置は、被調節体の雌ねじ部に螺合可能な雄ねじ部を有する操作体と、その操作体が、前記雄ねじ部の軸回り方向に回動可能に、かつその軸方向に移動規制されて取り付けられる支持体とを備えて、前記操作体の回動操作により、前記被調節体の位置を調節する、位置調節装置である。ここで、前記操作体は、前記支持体に明けられた通孔を回動可能に貫通するカラーと、ボルトと、ナットとを備える。前記ボルトは、前記雄ねじ部が螺設されて前記カラーに挿通される軸部と、その軸部よりも径大であって前記通孔を挟む一方側に位置する頭部とからなる。前記ナットは、前記通孔を挟む他方側に位置して前記雄ねじ部にねじ込まれ、前記頭部とで前記カラーを挟み込む。また、前記操作体は、前記頭部が前記通孔側に移動するのを規制する第１規制部を有し、かつ、前記ナットが前記通孔側に移動するのを規制する第２規制部を有する。
【０００９】
こうして、操作体は、支持体の通孔を回動可能に貫通するカラーを、ボルトの頭部とそのボルトの雄ねじ部にねじ込まれるナットとで挟み込むことで、それら頭部とナットとの間隔が維持される。そして、操作体は、前記第１規制部と第２規制部とを備えており、これら第１規制部と第２規制部とにより、操作体は、雄ネジ部の軸方向の移動が規制される。そこで、この操作体を回動操作することで、操作体の雄ねじ部が螺合する雌ねじ部が設けられた被調節体は、雄ねじ部の軸方向に移動し、その位置が調節される。ここにおいて、ボルトは、雄ねじ部が螺設された軸部と、頭部とからなり、その構成が簡単となっている。
【００１０】
また、請求項２に記載の発明に係る位置調節装置のように、請求項１に記載の位置調節装置において、前記カラーは、その軸方向において二体に分離された、前記頭部側の第１カラーと前記ナット側の第２カラーとから構成され、前記第１規制部は、前記第１カラーに設けられて、前記頭部と前記支持体との間に位置する第１の鍔部からなり、前記第２規制部は、前記第２カラーに設けられて、前記ナットと前記支持体との間に位置する第２の鍔部からなってもよい。こうして、第１カラーに設けられてボルトの頭部と支持体との間に位置する第１の鍔部により、ボルトの頭部が支持体の通孔側に移動するのが規制される。そして、第２カラーに設けられてナットと支持体との間に位置する第２の鍔部により、ナットが支持体の通孔側に移動するのが規制される。
【００１１】
また、請求項３に記載の発明に係る位置調節装置のように、請求項２に記載の位置調節装置において、前記第１および第２カラーは、共通の部品からなってもよい。このように、第１カラーと第２カラーとを共通の部品とすることで、部品の種類を減らすことができる。したがって、コストを削減することができ、また、部品の管理が容易となる。
【００１２】
また、請求項４に記載の発明に係る位置調節装置のように、請求項１に記載の位置調節装置において、前記第１規制部は、前記カラーに設けられて、前記頭部と前記支持体との間に位置する鍔部からなり、前記第２規制部は、前記軸部に嵌まり、前記ナットと前記カラーとに挟まれるとともに前記支持体と対向するワッシャからなってもよい。こうして、カラーに設けられてボルトの頭部と支持体との間に位置する鍔部により、ボルトの頭部が支持体の通孔側に移動するのが規制される。そして、ナットとカラーとに挟まれて支持体と対向するワッシャにより、ナットが支持体の通孔側に移動するのが規制される。
【００１３】
また、これら第１規制部と第２規制部との構成を反対にして、前記第１規制部は、前記軸部に嵌まり、前記頭部と前記カラーとに挟まれるとともに前記支持体と対向するワッシャからなり、前記第２規制部は、前記カラーに設けられて、前記ナットと前記支持体との間に位置する鍔部からなってもよい。こうして、ボルトの頭部とカラーとに挟まれて支持体と対向するワッシャにより、ボルトの頭部が支持体の通孔側に移動するのが規制される。そして、カラーに設けられてナットと支持体との間に位置する鍔部により、ナットが支持体の通孔側に移動するのが規制される。
【００１４】
また、請求項５に記載の発明に係る位置調節装置のように、請求項１に記載の位置調節装置において、前記第１規制部は、前記軸部に嵌まり、前記頭部と前記カラーとに挟まれるとともに前記支持体と対向する第１のワッシャからなり、前記第２規制部は、前記軸部に嵌まり、前記ナットと前記カラーとに挟まれるとともに前記支持体と対向する第２のワッシャからなってもよい。こうして、ボルトの頭部とカラーとに挟まれて支持体と対向する第１のワッシャにより、ボルトの頭部が支持体の通孔側に移動するのが規制される。そして、ナットとカラーとに挟まれて支持体と対向する第２のワッシャにより、ナットが支持体の通孔側に移動するのが規制される。
【００１５】
また、請求項６に記載の発明に係る位置調節装置のように、請求項１に記載の位置調節装置において、前記第１規制部は、前記通孔よりも径大に形成された前記頭部からなってもよい。こうして、ボルトの頭部そのものが第１規制部となることで、操作体の構成が簡単化される。
【００１６】
また、請求項７に記載の発明に係る位置調節装置のように、請求項１または６に記載の位置調節装置において、前記第２規制部は、前記通孔よりも径大に形成された前記ナットからなってもよい。こうして、ナットそのものが第２規制部となることで、操作体の構成がより簡単化される。
【００１７】
また、請求項８に記載の発明に係る位置調節装置のように、請求項１ないし７のいずれか１項に記載の位置調節装置において、前記通孔は、円孔からなり、その円孔の開口から前記カラーが挿入されてもよい。このように、支持体に設けられる通孔が円孔からなることから、この通孔を簡単に明けることができる。
【００１８】
また、請求項９に記載の発明に係る位置調節装置のように、請求項１に記載の位置調節装置において、前記第１規制部は、前記カラーの一方側に設けられて、前記頭部と前記支持体との間に位置する第１の鍔部からなり、前記第２規制部は、前記カラーの他方側に設けられて、前記ナットと前記支持体との間に位置する第２の鍔部からなり、前記通孔は、その軸方向に対して直角な方向から前記カラーが挿脱されるよう、その直角な方向に開口していてもよい。こうして、カラーに設けられてボルトの頭部と支持体との間に位置する第１の鍔部により、ボルトの頭部が支持体の通孔側に移動するのが規制される。そして、カラーに設けられてナットと支持体との間に位置する第２の鍔部により、ナットが支持体の通孔側に移動するのが規制される。
【発明の効果】
【００１９】
この発明に係る位置調節装置によれば、次の効果がある。
【００２０】
請求項１ないし７、並びに９に記載された位置調節装置によれば、簡単な構成のボルトを交換することで、操作体の長さを経済的に変更することができる
【００２１】
また、請求項８に記載された位置調節装置によれば、加えて、支持体に設けられる通孔が円孔からなることから、この通孔を簡単に明けることができ、支持体の製作が容易となる。
【発明を実施するための最良の形態】
【００２２】
以下、この発明に係る位置調節装置を実施するための最良の形態を図面に基づいて説明する。
【００２３】
図１および図２は、本発明に係る位置調節装置の一実施の形態を示す。図中符号１は、モーターである。２は、モーター１が載せられて固定される、被調節体としての台座である。３は、台座２が載せられる基台である。４は、位置調節装置であって、図示実施の形態においては、基台３に取り付けられる。
【００２４】
位置調節装置４は、台座２に設けられた雌ねじ部２ａに螺合可能な雄ねじ部５ａを有する操作体５と、その操作体５が、雄ねじ部５ａの軸回り方向に回動可能に、かつその軸方向に移動規制されて取り付けられる支持体６とを備えて、操作体５の回動操作により、台座２の位置を調節する、位置調節装置である。
【００２５】
ここにおいて、支持体６は、略直方体形状をしている。そして、この支持体６には、通孔６ａが明けられている。この通孔６ａは、例えば、円孔からなり、その円孔の開口から、一方側に鍔部が設けられた円筒状の中空部材からなる後述するカラー７が挿入される。さらに、この支持体６には、支持体６を、被取付体としての基台３に取付固定するための、取付孔６ｂ、６ｂが明けられている。そして、この支持体６は、取付孔６ｂを挿通して、基台３側にねじ込まれる取付ボルト１１により、その基台３に取付固定される。
【００２６】
操作体５は、支持体６に明けられた通孔６ａを回動可能に貫通するカラー７と、ボルト８と、ナット９とを備えている。さらに、図示実施の形態においては、操作体５は、ワッシャ１０ａを備えている。ここで、ボルト８は、前記雄ねじ部５ａが螺設されてカラー７に挿通される軸部８ａと、その軸部８ａよりも径大であって支持体６における通孔６ａを挟む一方側に位置する頭部８ｂとからなる。ナット９は、支持体６における通孔６ａを挟む他方側に位置してボルト８の雄ねじ部５ａにねじ込まれる。こうして、このナット９とボルト８の頭部８ｂとで、カラー７を挟み込む。
【００２７】
また、操作体５は、第１規制部１０１と第２規制部１０２とを有している。ここで、第１規制部１０１は、ボルト８の頭部８ｂが支持体６の通孔６ａ側に移動するのを規制するものである。そして、第２規制部１０２は、ナット９が支持体６の通孔６ａ側に移動するのを規制するものである。
【００２８】
具体的には、第１規制部１０１は、前記カラー７に設けられて、ボルト８の頭部８ｂと支持体６との間に位置する鍔部７ａからなる。そして、第２規制部１０２は、ボルト８の軸部８ａに嵌まり、ナット９とカラー７とに挟まれるとともに支持体６と対向するワッシャ１０ａからなる。なお、図２において、符号１３は、操作体５の回動を止めるためのロックナットである（後述する、図４ないし図７、並びに図９においても同様である。）。
【００２９】
この位置調節装置４によると、操作体５は、支持体６の通孔６ａを回動可能に貫通するカラー７を、ボルト８の頭部８ｂと、そのボルト８の雄ねじ部５ａにねじ込まれるナット９とで挟み込む（図示実施の形態においては、ワッシャ１０ａを介して挟み込む）。これにより、それら頭部８ｂとナット９との間隔が維持される。そして、操作体５は、第１規制部１０１（詳細には、鍔部７ａ）と第２規制部１０２（詳細には、ワッシャ１０ａ）とを備えており、これら第１規制部１０１と第２規制部１０２とにより、操作体５は、雄ネジ部５ａの軸方向の移動が規制される。すなわち、カラー７に設けられてボルト８の頭部８ｂと支持体６との間に位置する鍔部７ａにより、ボルト８の頭部８ｂが、支持体６の通孔６ａ側に移動するのが規制される。そして、ナット９とカラー７とに挟まれて支持体６と対向するワッシャ１０ａにより、ナット９が、支持体６の通孔６ａ側に移動するのが規制される。
【００３０】
そこで、この操作体５を回動操作することで、操作体５の雄ねじ部５ａが螺合する雌ねじ部２ａが設けられた台座２は、雄ねじ部５ａの軸方向に移動し、その位置が調節される。図示実施の形態においては、台座２上のモーター１には、ベルト１ａが掛けられており、そのベルト１ａの延びる方向に、ボルト８が向いている。よって、この位置調節装置４を用いた台座２の位置調節により、ベルト１ａの張りを調節することができる。そして、このように、操作体５を回動することで、台座２の位置を調節することができるため、この調節作業は、職人、ベテランに限らず、誰でも簡単かつ確実に行なうことができる。
【００３１】
ここにおいて、ボルト８は、雄ねじ部５ａが螺設された軸部８ａと、頭部８ｂとからなり、その構成が簡単となっている。すなわち、ボルト８として、市販されている（流通性のある）安価なボルトを用いることができる。したがって、この位置調節装置４の設置位置等、状況に応じて、操作体５の長さを変更する場合に、この安価なボルト８を交換することで、操作体５の長さを経済的に変更することができる。別の見方をすれば、各種長さの操作体５を用意する場合に、この安価なボルト８を、長さ違いで各種用意するが、ナット９、カラー７等の、その他の部品は、それらボルト８に対して共通の部品とすることができる。また、雄ねじ部５ａのネジピッチを変更する場合においても、このボルト８とナット９をセットで交換することで対応することができる。
【００３２】
また、支持体６に設けられる通孔６ａが円孔からなることから、例えばボール盤等により、この通孔６ａを簡単に明けることができる。したがって、支持体６、ひいては位置調節装置４の製作が容易となる。
【００３３】
なお、本発明は、上述した実施の形態に限定されるわけではなく、その他種々の変更が可能である。例えば、この位置調節装置４は、モーター１の台座２の位置を調節する場合のようなラフな調整に限らず、ＦＡ等の機械における精密な芯出しとか位置決め等にも用いられる。
【００３４】
また、支持体６は、基台３とは別体であって、その基台３に取付ボルト１１により固定されるが、この支持体６を、基台３と一体に形成してもよい。また、操作体５におけるボルト８は、六角孔付きボルトに限らず、六角ボルト等、その他のボルトであってもよい。
【００３５】
また、図３に示すように、支持体６には、操作体５に加えて、ボルト部材からなる操作部材１２を取り付けてもよい。ここで、操作部材１２は、支持体に螺設された雌ねじ６ｃに螺合している。そして、この操作部材１２を回動操作することで、台座２を押圧することができる。すなわち、この操作部材１２により、操作体５によって位置調節された台座２をその位置に固定することができる。そして、このことは、後述する図４ないし図９に示す例においても、同様に適用することができる。
【００３６】
また、図４に示すように、第１規制部１０１は、ボルト８の軸部８ａに嵌まり、ボルト８の頭部８ｂとカラー７とに挟まれるとともに支持体６と対向するワッシャ１０ｂからなってもよい。そして、この図４においては、第２規制部１０２は、カラー７に設けられて、ナット９と支持体６との間に位置する鍔部７ｂからなっている。すなわち、ボルト８の頭部８ｂとカラー７とに挟まれて支持体６と対向するワッシャ１０ｂにより、ボルト８の頭部８ｂが、支持体６の通孔６ａ側に移動するのが規制される。そして、カラー７に設けられてナット９と支持体６との間に位置する鍔部７ｂにより、ナット９が、支持体６の通孔６ａ側に移動するのが規制される。
【００３７】
また、図５に示すように、第１規制部１０１は、ボルト８の軸部８ａに嵌まり、ボルト８の頭部８ｂと円筒状の中空部材からなるカラー７とに挟まれるとともに支持体６と対向する第１のワッシャ１０ｃからなってもよい。そして、この図５においては、第２規制部１０２は、ボルト８の軸部８ａに嵌まり、ナット９とカラー７とに挟まれるとともに支持体６と対向する第２のワッシャ１０ｄからなっている。すなわち、ボルト８の頭部８ｂとカラー７とに挟まれて支持体６と対向する第１のワッシャ１０ｃにより、ボルト８の頭部８ｂが、支持体６の通孔６ａ側に移動するのが規制される。そして、ナット９とカラー７とに挟まれて支持体６と対向する第２のワッシャ１０ｄにより、ナット９が、支持体６の通孔６ａ側に移動するのが規制される。この例においては、カラー７は、円筒形あるいはリング形状をして、鍔部を有しておらず、その製作が簡単となる。
【００３８】
また、図６に示すように、カラー７は、その軸方向において二体に分離された、ボルト８の頭部８ｂ側の第１カラー１４と、ナット９側の第２カラー１５とから構成されてもよい。ここで、第１規制部１０１は、第１カラー１４に設けられて、ボルト８の頭部８ｂと支持体６との間に位置する第１の鍔部１４ａからなる。そして、第２規制部１０２は、第２カラー１５に設けられて、ナット９と支持体６との間に位置する第２の鍔部１５ａからなる。すなわち、第１カラー１４に設けられてボルト８の頭部８ｂと支持体６との間に位置する第１の鍔部１４ａにより、ボルト８の頭部８ｂが、支持体６の通孔６ａ側に移動するのが規制される。そして、第２カラー１５に設けられてナット９と支持体６との間に位置する第２の鍔部１５ａにより、ナット９が、支持体６の通孔６ａ側に移動するのが規制される。また、この例においては、第１カラー１４と第２カラー１５とは、共通の部品からなっている。このように、第１カラー１４と第２カラー１５とを共通の部品とすることで、部品の種類を減らすことができる。したがって、コストを削減することができ、また、部品の管理が容易となる。
【００３９】
また、図７に示すように、第１規制部１０１は、支持体６の通孔６ａよりも径大に形成された、ボルト８の頭部８ｂからなってもよい。このように、ボルト８の頭部８ｂそのものが第１規制部１０１となることで（すなわち、頭部８ｂが第１規制部１０１を兼ねることで）、操作体５の構成が簡単化される。そして、この図７においては、第２規制部１０２は、支持体６の通孔６ａよりも径大に形成されたナット９からなっている。このように、ナット９そのものが第２規制部１０２となることで（すなわち、ナット９が第２規制部１０２を兼ねることで）、操作体５の構成が、より簡単化される。ところで、この図７においては、支持体６には、通孔６ａと連通するように、座孔６ｄが明けられている。そして、ボルト８の頭部８ｂは、その座孔６ｄに挿入される。
【００４０】
また、図８および図９に示すように、支持体６に明けられた通孔６ａは、円孔でなくとも、その軸方向に対して直角な方向（図示実施の形態においては、上方）に開口していてもよい。つまり、通孔６ａは、その軸方向に対して直角な方向から、両側に鍔部が設けられた円筒状の中空部材からなるカラー７が挿脱されるよう、あるいは挿脱可能となるよう、その直角な方向に開口している。そして、この図８および図９においては、第１規制部１０１は、カラー７の一方側に設けられて、ボルト８の頭部８ｂと支持体６との間に位置する第１の鍔部７ｃからなる。そして、第２規制部１０２は、カラー７の他方側に設けられて、ナット９と支持体６との間に位置する第２の鍔部７ｄからなる。つまり、カラー７には、一方側となるボルト８の頭部８ｂ側に、第１の鍔部７ｃが設けられ、そして、他方側となるナット９側に、第２の鍔部７ｄが設けられている。そして、このようにして、カラー７に設けられてボルト８の頭部８ｂと支持体６との間に位置する第１の鍔部７ｃにより、ボルト８の頭部８ｂが、支持体６の通孔６ａ側に移動するのが規制される。そして、カラー７に設けられてナット９と支持体６との間に位置する第２の鍔部７ｄにより、ナット９が、支持体６の通孔６ａ側に移動するのが規制される。
【００４１】
また、以上に示す位置調節装置４において、この発明の趣旨を逸脱しない範囲で、その構成部分の組合わせを適宜変更してもよいのは勿論である。
【図面の簡単な説明】
【００４２】
【図１】この発明に係る位置調節装置の一実施の形態の、分解斜視図である。
【図２】同じく、縦断面図である。
【図３】この発明に係る位置調節装置の第１の変形例を示す、平断面図である。
【図４】この発明に係る位置調節装置の第２の変形例を示す、縦断面図である。
【図５】この発明に係る位置調節装置の第３の変形例を示す、縦断面図である。
【図６】この発明に係る位置調節装置の第４の変形例を示す、縦断面図である。
【図７】この発明に係る位置調節装置の第５の変形例を示す、縦断面図である。
【図８】この発明に係る位置調節装置の第６の変形例を示す、分解斜視図である。
【図９】同じく、縦断面図である。
【図１０】従来の位置調節装置を示す、分解斜視図である。
【図１１】同じく、平面図である。
【符号の説明】
【００４３】
２  台座（被調節体）
２ａ  雌ねじ部
４  位置調節装置
５  操作体
５ａ  雄ねじ部
６  支持体
６ａ  通孔
７  カラー
７ａ  鍔部
７ｂ  鍔部
７ｃ  第１の鍔部
７ｄ  第２の鍔部
８  ボルト
８ａ  軸部
８ｂ  頭部
９  ナット
１０ａ  ワッシャ
１０ｂ  ワッシャ
１０ｃ  第１のワッシャ
１０ｄ  第２のワッシャ
１４  第１カラー
１４ａ  第１の鍔部
１５  第２カラー
１５ａ  第２の鍔部
１０１  第１規制部
１０２  第２規制部
【図１】
2005273756.tif 000003
【図２】
2005273756.tif 000004
【図３】
2005273756.tif 000005
【図４】
2005273756.tif 000006
【図５】
2005273756.tif 000007
【図６】
2005273756.tif 000008
【図７】
2005273756.tif 000009
【図８】
2005273756.tif 000010
【図９】
2005273756.tif 000011
【図１０】
2005273756.tif 000012
【図１１】
2005273756.tif 000013